(57)【要約】【課題】かつらのベースシートを頭部に固定する場合に、小さな隙間や、逆に広い面積部分等、種々の領域に対して簡単に接着剤を塗布できる塗布具を提供する。【解決手段】接着剤塗布具（１）の長手軸（Ａ）の両端に、相対的に面積が異なる第１塗布面（２）および第２塗布面（３）を設ける。両塗布面（２、３）は、塗布具（１）の長手軸（Ａ）に対して傾斜している。面積の異なる２つの塗布面が存在するので、塗布箇所の広さに応じて、適したサイズの塗布面を選択することができ、使い勝手がよい。また、各塗布面が塗布具の長手軸に対して傾斜しているため、塗布しやすい。【選択図】図２
0003171415.tif 000002
【実用新案登録請求の範囲】
【請求項１】
長手軸（Ａ）の両端に、相対的に面積の異なる第１塗布面（２）および第２塗布面（３）を備えた接着剤塗布具であって、
第１塗布面（２）および第２塗布面（３）が、それぞれ上記長手軸（Ａ）に対して傾斜している、かつら装着用の接着剤塗布具。
【請求項２】
第１塗布面（２）および第２塗布面（３）の先端に面取り（２ａ、３ａ）が施されている、請求項１記載の接着剤塗布具。
【請求項３】
弾性材料で構成されている、請求項１または２記載の接着剤塗布具。
【請求項４】
上記長手軸（Ａ）に関して非対称な形状を有する、請求項１〜３のいずれか１つに記載の接着剤塗布具。
【考案の詳細な説明】
【技術分野】
【０００１】
本考案は、かつらを頭部に装着する際に用いる接着剤塗布具に関する。
【背景技術】
【０００２】
かつらの一形態として、弾性を有するベースシートに人工毛髪を植え付けて構成されたものが知られている。ベースシートの後方部は、残った地毛を利用してクリップを用いて頭部に固定され、一方、ベースシートの前方部は、生え際が自然に見えるように、接着剤を用いて頭皮に固定される。
一般的に、ベースシートを接着剤で頭皮に固定する際、接着剤は、指先で塗布するか、あるいは図１に示したような単純な三角柱形状の塗布具を用いて塗布されている。
【考案の概要】
【考案が解決しようとする課題】
【０００３】
かつらを装着していると、ベースシートの端縁がめくれて、頭皮との間に小さな隙間が生じることがある。そのような小さな隙間に対して、指先や三角柱形状の塗布具では、先端が小さな隙間に入り込みにくいので、上手く接着剤を塗布できない。
一方、最初にかつらのベースシートを頭部に固定する際には、比較的広い面積部分に短時間で効率よく接着剤を塗布したいという要請もある。
したがって、本考案の目的は、小さな隙間や、逆に広い面積部分等、種々の領域に対して簡単かつ便利に接着剤を塗布できる塗布具を提供することである。
【課題を解決するための手段】
【０００４】
本考案は、上記課題を有効に解決するために創案されたものであって、以下の特徴を備えた塗布具を提供する。
すなわち、本考案の塗布具は、長手軸の両端に、相対的に面積の異なる第１塗布面および第２塗布面を備える。これら第１および第２の塗布面は、それぞれ塗布具の長手軸に対して傾斜している。
【考案の効果】
【０００５】
本考案は、次のような優れた効果を有する。
（１）塗布具が面積の異なる２つの第１、第２塗布面を備えているため、塗布箇所の広さに応じて、適したサイズの塗布面を選択することができ、使い勝手がよい。
（２）各塗布面が塗布具の長手軸に対して傾斜しているため、塗布しやすい。
（３）塗布具は、その両端に存在する面積の異なる２つの塗布面を連結するように構成されるので、塗布具が全体として先細りのテーパ形状となり、その結果、小さい方の塗布面はベースシートと頭皮との間の小さな隙間にも容易に入り込むので、塗布作業に好都合である。
【０００６】
また、本考案においては、第１塗布面および第２塗布面の先端に面取りを施すことが好ましく、その場合には、塗りムラを防止できるというメリットが得られる。
【図面の簡単な説明】
【０００７】
【図１】従来の単純な三角柱形状の塗布具を示す斜視図。
【図２】本考案の一実施形態に係る接着剤塗布具を示す斜視図。
【図３】図２の接着剤塗布具を反対側から見た斜視図。
【図４】図２の接着剤塗布具および別実施形態を真横から見た側面図。
【図５】図２の接着剤塗布具を真上および真下から見た図。
【図６】図２の接着剤塗布具を手にした様子を示す図。
【考案を実施するための形態】
【０００８】
本考案の実施形態を添付の図面を参照して以下に詳細に説明する。図２および図３は、本考案の一実施形態に係る接着剤塗布具１を示している。接着剤塗布具１は、長手軸（Ａ）に沿って延在する細長い本体の両端に、相対的に面積の異なる第１塗布面２および第２塗布面３を有していて、全体として先細りのテーパ形状を有している。
相対的に大きい面積を有する第２塗布面３は、例えば、最初にかつらのベースシートを頭部に固定する際等、短時間で比較的広い面積部分に効率よく接着剤を塗布したい場合に有効である。
一方、かつらを装着中、かつらのベースシートの端縁が頭皮から捲れて、小さな隙間が生じてしまった場合等には、相対的に小さい面積の第１塗布面２を利用して当該隙間に接着剤を塗布する。塗布具１は、全体として細長いテーパ形状を為しており、その先端の第１塗布面２は、狭い領域にも容易に入り込むので、塗布作業が簡単である。
このように、本考案の塗布具１は、用途に合わせて大小２つの塗布面を使い分けることができ、非常に使い勝手がよい。
【０００９】
各塗布面２、３は、図４に最も良く表されているように、塗布具の長手軸（Ａ）に対して傾斜している。傾斜角度は特に限定されず、適宜設定することができる。塗布面が塗布具の長手軸（Ａ）に対して傾斜しているので、図１に示したような従来の塗布具よりも塗布しやすい。
【００１０】
図４（ａ）は、塗布具１を真横から見た側面図であり、２つの塗布面２、３は、互いに略平行に延在している。
本考案においては、塗布具１の両端に面積の異なる大小２つの塗布面が存在していれば足りるので、２つの塗布面の相対的な傾斜方向は任意に設定できる。例えば、図４（ｂ）に示した別実施形態に係る塗布具１’のように、全体が台形形状となるように、両塗布面２’、３’の傾斜を設定してもよいし、さらに別のねじれ位置に両塗布面が存在してもよい（図示せず）。
【００１１】
≪面取りを設けて、塗布ムラを防ぐ構成≫
本考案の塗布具１においては、図示したように、塗布面２、３の先端にそれぞれ、面取り２ａ、３ａを施すことが好ましい。
塗布面２、３の先端に面取りを施していない場合、尖った先端部位は腰が無いが故に塗布作業中にうねってしまい、その結果、塗布ムラを生じさせてしまう。図示した好ましい実施形態では、塗布面２、３の先端に面取り２ａ、３ａを施すことで、尖った先端を切除し、塗布ムラが生じるのを防いでいる。
【００１２】
≪塗布具の材質≫
塗布具１を構成する材料は、特に限定されないが、弾性材料を用いることが好ましい。弾性材料で構成された塗布具は、頭部の湾曲に沿って変形することができ、よりムラなく快適に接着剤を塗布することが可能となる。
具体的な材質は、使用する接着剤との相性で適宜選択する。例えば、有機溶剤を含有する接着剤を使用する場合は、弾性材料として、発泡ポリエチレンまたはポリプロピレンのようなポリオレフィン系樹脂を選択することが好ましく、ウレタンは好ましくない。
一方、水性接着剤を使用する場合には、ウレタンを使用することも可能である。
【００１３】
≪長手軸に対して非対称な形状≫
図５（ａ）は、図２の塗布具１を真上から見た平面図で、図５（ｂ）は真下から見た底面図である。これらの図から分かるように、塗布具１は、長手軸（Ａ）に関して非対称な形状を有する。これにより、図６に示すように、塗布具１は使用者の手に良く馴染み、持ちやすくなる。
【符号の説明】
【００１４】
１  接着剤塗布具
２  第１塗布面
３  第２塗布面
２ａ  面取り部
３ａ  面取り部
Ａ  長手軸
【図１】
0003171415.tif 000003
【図２】
0003171415.tif 000004
【図３】
0003171415.tif 000005
【図４】
0003171415.tif 000006
【図５】
0003171415.tif 000007
【図６】
0003171415.tif 000008